(57)【要約】  オストミーパウチ用の取付け組立体である。本発明の組立体は、片面に接着剤のコーティングを有してオストメイトのストーマ周囲の皮膚表面に接着されるボディフランジを備える。径方向の正反対の位置で相対するループがフランジの端縁から突出している。また堅さと柔軟性を有するリングにより囲まれたストーマ受け入れ用の開口部を備えたオストミーパウチが設けられる。リングには、フランジのループに設けられたポケットと協働する径方向に相対するループが設けられている。柔軟性を有するリングに接着剤塗膜が設けられて、リングとフランジとが機械的に連結される。柔軟性を有するリングに設けられたループはフランジに設けられたポケットと整合させられ、フランジとリングとが接着により連結されてパウチがボディフランジに取り付けられる。
2011521725.tif 000002
【特許請求の範囲】
【請求項１】
一方の面に接着剤層を有して、オストメイトのストーマの周囲の皮膚表面に接着されるように構成されたボディフランジと、内側壁部と外側壁部とにより形成されたオストミーパウチとを備え、
前記ボディフランジは、その他方の面に、軸線方向に突出したリング部を有するとともに、その端縁部から横方向に突出した少なくとも一つの第１のループを有し、
前記第１のループは、その開口部を囲む突出した囲い壁を有して、該囲い壁の内側にポケットが形成され、
前記オストミーパウチの内側壁部は、開口部と、該開口部を取り囲む硬さと柔軟性を有するリングと、前記柔軟性を有するリングの端縁部から横方向に突出した少なくとも一つの第２のループと、前記柔軟性を有するリングに設けられた該リングと同心的な溝と、該溝内に施された接着剤の塗膜とを有し、
前記第２のループは、前記ボディフランジのリング部を前記柔軟性を有するリングに設けられた溝と整合させるために、前記第１のループの内側のポケット内に係合し得るように設けられているオストミーパウチ取付け組立体。
【請求項２】
前記ボディフランジは，リムと中央ドームとを有している請求項１による取付け組立体。
【請求項３】
前記フランジと接着剤層との間に介在する発泡層が前記フランジに設けられている請求項２による取付け組み立体。
【請求項４】
前記フランジに設けられた接着剤層は、水を吸収することができて、湿潤粘着性と乾燥粘着性とを有するハイドロコロイドを含有する接着剤である請求項１による取付け組立体。
【請求項５】
前記第１のループは、径方向の正反対の位置に設けられた一対のループからなり、前記第２のループは径方向の正反対の位置に設けられた一対のループからなっている請求項１による取付け組立体。
【請求項６】
一方の面に接着剤層を有して、オストメイトのストーマの周囲の皮膚表面に接着されるように構成されたボディフランジと、内側壁部と外側壁部とにより形成されたオストミーパウチとを備え、
前記ボディフランジは、軸線方向に突出したリング部と、該フランジの互いに反対側の端縁部から突出した径方向に相対する一対の第１のループとを有し、
前記第１のループは、その開口部を囲む突出した囲い壁を有して、該囲い壁の内側にポケットが形成され、
前記オストミーパウチの内側壁部は、開口部と、該開口部を取り囲む硬さと柔軟性を有するリングと、前記柔軟性を有するリングの互いに反対側の端縁部から突出した径方向に相対する一対の第２のループと、前記柔軟性を有するリングに設けられた該リングと同心的な溝と、該溝内に施された接着剤の塗膜とを有し、
前記溝は前記フランジのリングを受け入れて該リングを接着して保持しており、
前記第２のループは、前記第１のループの内側のポケット内に係合させられているオストミーパウチ取付け組立体。
【請求項７】
前記ボディフランジは、リムと中央ドームとを有している請求項６による取付け組立体。
【請求項８】
前記フランジと接着剤層との間に介在する発泡層が前記フランジに設けられている請求項６による取付け組み立体。
【請求項９】
前記フランジに設けられた接着剤層は、水を吸収することができて、湿潤粘着性と乾燥粘着性とを有するハイドロコロイドを含有する接着剤である請求項６による取付け組立体。
【発明の詳細な説明】
【背景技術】
【０００１】
本発明は、オストミーパウチ用のツーピース取付け組立体(ツーピース・マウンティング・アッセンブリ）に関し、更に詳細に述べると、接着により結合されるツーピースの取付け組立体用の位置決めのための構成に関する。組立体は、ボディフランジを備えており、このボディフランジが、オストメイト（人工肛門等の人工の排泄孔を造設した人）のオストミー(人工の排泄孔）の周囲の皮膚の表面に接着される。ボディフランジには次にパウチ(袋）が接着される。このように構成することにより、オストメイトはボディフランジを取り外すことなく、バッグ(袋）を何回か交換することができる。
【発明の概要】
【課題を解決するための手段】
【０００２】
本発明は、ボディフランジとパウチとを接着する前にこれらのユニットを正確に整合させることができるように、ボディフランジとパウチの間を連結する使いやすい連結装置を提供する。この連結装置は、ボディフランジの径方向の正反対の位置に位置させて該ボディフランジに設けられたループと、これらのループに対応させて、径方の正反対の位置に位置させてパウチに設けられたループとを備えている。径方向の正反対の位置に配置された一方のループの一面にポケットが設けられ、径方向の正反対の位置に配置された他方のループは、連結装置を構成するために上記ポケット内に嵌り込む寸法に形成されている。これらのループが互いにスナップ結合された際に、ボディフランジ及びパウチの接着される面に圧力が加えられて、これらの部材が固定される。
【０００３】
取付組立体を所定位置に保持するための追加の安全策として、オストミーベルトを用いてもよい。ベルトに設けられたクリップが、整列されたループを貫通して、組立体を一体に保持する。
【図面の簡単な説明】
【０００４】
【図１】図１は、取付フランジの平面図である。
【図２】図２は、図１の２−２線で示された断面を示す断面図である。
【図３】図３は、取付フランジの底面図である。
【図４】図４は、パウチを示した図である。
【図５】図５は、図４の５−５線で示された断面を示した断面図である。
【０００５】
図１ないし図３を参照すると、ストーマ（人工の排泄孔）の周囲の皮膚の表面に貼り付けられるように構成されて、オストメイトのストーマＳを取り囲むボディフランジ１０が図示されている。図２に見られるように、このフランジ１０は、リム（周縁部）１４と中央ドーム部１６とを備えた、硬さと柔軟性を有するプラスチックベース部１２を備える。ドーム部１６の底部からリング部１９が突出している。
【０００６】
フランジ１０の上面は接着剤層１８により覆われている。接着剤層は、水分を吸収可能で、湿潤粘着性および乾燥粘着性の双方を有する(湿った状態でも乾燥した状態でも粘着性を有する）ハイドロコロイドを含有する接着剤であることが好ましい。接着剤層１８は、剥離ライナー２０で覆われている。剥離ライナー２０は、その除去を可能にするためのタブ（つまみ部）２１を有している。接着剤層１８とフランジ１０との間には、発泡層２２が介在している。
【０００７】
フランジ１０は更に径方向の正反対の相対する位置に配置されたループ部（複数）２４を有する。各ループ２４は、該ループにポケット部２８を形成するための囲い壁（フェンス）２６を備える。
【０００８】
図４及び５を参照すると、プラスチック製の内側壁部３２とプラスチック製の外側壁部３４とにより形成されたパウチ３０が図示されている。これらの壁部３２、３４はそれぞれの端縁部がシールされて、ストーマを受け入れるパウチを構成している。壁部３３には開口部３６が設けられ、硬さと柔軟性とを有するプラスチック製のリング３８が開口部３６を取り囲んでいる。
【０００９】
リング３８は、中央溝３９と、径方向の正反対の位置に配置された一対のリング状のタブ４１及び４３とを備えて、上記開口部を取り囲んでいる。リング３８は、接着剤の塗膜(コーティング）４０により覆われており、更に塗膜４０が剥離ライナー４２により覆われている。
【００１０】
フランジ１０がオストメイトの皮膚の上の所定位置に取り付けられて、接着剤の塗膜４０上の剥離ライナー４２が取り除かれ、リング状のタブ４１及び４３がつかまれて、該タブ４１及び４３がポケット２８内にスナップ止めされる。タブ４１及び４３が所定位置に配置されたときに、リング部１９が溝３９と整合させられて、該溝３９内に入り込む。ボディフランジ１０の交換が必要なときは、タブ４１ａをつかむことによって剥がすことが出来る。
【図１】
2011521725.tif 000003
【図２】
2011521725.tif 000004
【図３】
2011521725.tif 000005
【図４】
2011521725.tif 000006
【図５】
2011521725.tif 000007
【国際調査報告】
2011521725.tif 000008
2011521725.tif 000009